(57)【特許請求の範囲】
【請求項１】
電子カメラ本体部と、
該電子カメラ本体の上面及び下面に位置し空気を排出若しくは吸入するためのカメラ本体の空気穴と、
側面に空気を排出若しくは吸入する空気穴が設けられ、いずれか一方の前記カメラ本体の空気穴を覆うように取り付けられたカバーと、
該カバーが取り付けられた前記電子カメラ本体の空気穴と前記カバーとの間に位置するとともに該カバーに取り付けられた冷却ファンと、
を備えることを特徴とする電子カメラの冷却装置固定構造。
【請求項２】
電子カメラ本体部と、
該電子カメラ本体の上面及び下面に位置し空気を排出若しくは吸入するカメラ本体の空気穴と、
側面に空気を排出若しくは吸入する空気穴が設けられ、いずれか一方の前記カメラ本体の空気穴を覆うように取り付けられたカバーと、
該カバーが取り付けられた前記電子カメラ本体の空気穴と前記カバーとの間に位置するとともに該カバーに取り付けられた冷却ファンと、
前記カバーに取り付けられ、前記電子カメラ本体を所定の位置に固定するための固定アームと、
を備えることを特徴とする電子カメラの冷却装置固定構造。
【請求項３】
前記カバーには空気の流れ方向を変更するための絞り構造がなされていることを特徴とする請求項１乃至２記載の電子カメラの冷却装置固定構造。
【発明の詳細な説明】
【０００１】
【発明の属する技術分野】
本発明は、ＣＣＴＶカメラの冷却装置取り付け構造に関するものである。
【０００２】
【従来の技術】
以下、従来例について説明する。
【０００３】
ＣＣＴＶカメラには、ハードディスク等のように内部で熱を発する熱源があり、この熱によりＣＣＴＶカメラの内部機器が誤動作を起こすおそれがある。そのため、この熱を逃がすために冷却ファンを取り付けている。この冷却ファンは一般にはＣＣＴＶカメラ内部の側面又は後面に付けられる。ＣＣＴＶカメラ内部の熱源によって暖められた空気はＣＣＴＶカメラ上部に集まるため、もっとも効率がいい冷却ファンの付け場所はＣＣＴＶカメラの上部である。しかし、ＣＣＴＶカメラの上端部は、ほこり等が溜まりやすい場所であるため側面又は後面に冷却ファンを付けるのが一般的である。
【０００４】
ＣＣＴＶカメラで、カメラ内部から発生した熱を逃がすための冷却ファンを取り付ける位置は、カメラの構造上カメラ上部が最も適している。それにも関わらず側面に付けているため熱が逃げにくく大きな冷却ファンを用いて、必要以上に電力を消費している。
【０００５】
また、冷却ファンには寿命があり、一定期間使用すると交換しなければならない。しかし、冷却ファンはＣＣＴＶ内部に取り付けられており、交換するためにはＣＣＴＶカメラを分解して行わなくてはならないので、交換が困難である。
【０００６】
【発明が解決しようとする課題】
不必要な電力消費を防止するため熱交換効率の最も適した位置に冷却ファンを取り付けると共に、冷却ファンの交換を容易にする。
【０００７】
【課題を解決するための手段】
請求項１の発明は、電子カメラ本体部と、該電子カメラ本体の上面及び下面に位置し空気を排出若しくは吸入するためのカメラ本体の空気穴と、側面に空気を排出若しくは吸入する空気穴が設けられ、いずれか一方の前記カメラ本体の空気穴を覆うように取り付けられたカバーと、該カバーが取り付けられた前記電子カメラ本体の空気穴と前記カバーとの間に位置するとともに該カバーに取り付けられた冷却ファンとを備えることを特徴とする。この発明により冷却ファンが電子カメラ本体外部に取り付けられるため、電子カメラ本体の小型化が図れると共に電子カメラを分解しないで冷却ファンの交換が出来る。
【０００８】
請求項２の発明は、電子カメラ本体部と、該電子カメラ本体の上面及び下面に位置し空気を排出若しくは吸入するカメラ本体の空気穴と、側面に空気を排出若しくは吸入する空気穴が設けられ、いずれか一方の前記カメラ本体の空気穴を覆うように取り付けられたカバーと、該カバーが取り付けられた前記電子カメラ本体の空気穴と前記カバーとの間に位置するとともに該カバーに取り付けられた冷却ファンと、前記カバーに取り付けられ、前記電子カメラ本体を所定の位置に固定するための固定アームとを備える。この発明により、電子カメラを上方設置から下方設置へ、または下方設置から上方設置へ変更する場合でも設置変更が容易にできる。
【０００９】
請求項３の発明は、前記カバーには空気の流れ方向を変更するための絞り構造がなされている。本発明により、電子カメラが上方から設置された場合、電子カメラから冷却ファンを通じて吸入した空気を効率よく外部に放出することが出来、電子カメラが下方から設置された場合、外部の空気を冷却ファンを通じて効率よく電子カメラ本体に送り込むことが出来る。
【００１０】
【発明の実施の形態】
以下、本発明の一実施例について説明する。図１は上方からＣＣＴＶカメラを設置する場合のＣＣＴＶカメラ本体及び取り付け部品の分解図であり、図２は下方からＣＣＴＶカメラを設置する場合のＣＣＴＶカメラ本体及び取り付け部品の分解図であり、図３は上方よりＣＣＴＶカメラを設置する場合のＣＣＴＶカメラ本体及び取り付けアームを示した斜視図であり、図４は下方よりＣＣＴＶカメラ本体を設置する場合のＣＣＴＶカメラ本体及び取り付けアームを示した斜視図であり、図５は取り付けアーム及びＣＣＴＶカメラ設置用構造体の一部をカットした図である。
【００１１】
図１に示すように、１はＣＣＴＶカメラ本体、２は冷却ファン、３はアーム取り付け部、４は冷却ファン２とＣＣＴＶカメラ本体１の隙間を埋めるクッション、５は冷却ファン２をアーム取り付け部３に固定するためのネジ、６はアーム取り付け部３をＣＣＴＶカメラ本体１に固定するためのネジ、７はカメラ角度を変更するためのアーム取付部の首振り機構部、８はＣＣＴＶカメラ取り付けアームとアーム取り付け部３とを固定するネジ、９はＣＣＴＶカメラ上部排熱穴、１０はアーム取り付け部の絞り部、１１は冷却ファン２を取り付けるネジ穴、１２は排熱穴、１３はＣＣＴＶカメラ取り付けアーム、１４はアーム取り付け部３を固定するネジ穴、１５は貫通穴、１６はＣＣＴＶカメラ取り付けアーム１３を固定するネジ穴、１７は貫通穴である。なお、図には示していないが、ＣＣＴＶカメラ本体の排熱穴はカメラ上部だけでなくカメラ下部にも同様の排熱穴が開いており、アーム取り付け部３を固定するネジ穴もカメラ本体下部に存在する。
【００１２】
まず、図１に示すようにＣＣＴＶカメラ１を上方から設置する場合、例えば室内の天井から設置する場合について説明する。冷却ファン２はクッション４とともに固定ネジ５によりアーム取り付け部３に固定される。アーム取り付け部３は、固定ネジ６によって貫通穴１７及びネジ穴１４により固定される。さらにＣＣＴＶカメラ取り付けアーム１３は固定ネジ８、貫通穴１５及びネジ穴１６によってアーム取り付け部３に固定される。図３に、このようにして組み立てられたＣＣＴＶテレビカメラ全体を示す。
【００１３】
アーム取り付け部３には絞り部１０と排熱穴１１があり、絞り部１０は冷却ファン２からの風を側面方向に変更させるためであり、この絞り部１０によって冷却ファン２からの風がアーム取り付け部３の側面に位置する複数の排熱穴を通って外部に放出させることになる。よって、ＣＣＴＶカメラ本体１で発生した熱は排熱穴９を通って冷却ファン２により排熱穴１７から効率よく外部に放出される。この熱の排出状態を示したのが図５である。
【００１４】
次に、図２に示すようにＣＣＴＶカメラ１を下方から設置する場合、例えば室内の壁に設置する場合について説明する。冷却ファン２やＣＣＴＶカメラ取り付けアーム１３が取り付けられる位置は図１とは逆にＣＣＴＶカメラ本体１の下部である。この場合は図１に示したものとは逆に冷却ファン２が外部の空気をＣＣＴＶカメラ本体１に送って、排熱穴９からＣＣＴＶカメラ本体１で発生した熱が放出される。図１に示したように上方から取り付ける場合との違いは、図１の場合は冷却ファン２は本体から吸い込む方向にファンが回るのに対して、図２の場合は本体へ空気を送り込む向きにファンが回ることになる。ファンの回転方向の変更はファンの取り付けを逆にするか、若しくはスイッチで切り替えるようにしてもよい。このように、排熱穴９から空気が放出されるためＣＣＴＶカメラ本体１にほこりが溜まるようなことはない。
【００１５】
実施例ではＣＣＴＶカメラ本体１を上方から及び下方から取り付ける場合について述べたが、これはＣＣＴＶカメラは監視対象の位置や周りの環境によって上方に取り付けなければならない場合や下方から取り付けなければならない場合が生じ、どちらの方向からでも取り付けられるようにしておく必要があるからである。るからである。
【００１６】
【発明の効果】
冷却ファンがＣＣＴＶカメラの内部の空気を排出（あるいは外部から空気を吸気）する場合、その絞り部によって冷却ファンからの空気をアーム取り付け部側面に設けられた排熱穴から効率よく排出すること（冷却ファンが排出穴から外部の空気を効率よく吸入すること）が出来、結果として、冷却ファンをアーム取り付け部に配置することによりＣＣＴＶカメラ本体を大きくすることなしに配置することが可能となり、ＣＣＴＶカメラがアーム取り付け部を利用して上方あるいは下方により配置されても効率を落とすことはない。しかも、ＣＣＴＶカメラの外部に取り付けられているアーム取り付け部に冷却ファンが取り付けられているので、容易に冷却ファンの交換が行える。
【図面の簡単な説明】
【図１】本発明の一実施例である上方からＣＣＴＶカメラを設置する場合のＣＣＴＶカメラ及び取り付け部品の分解図である。
【図２】本発明の一実施例である下方からＣＣＴＶカメラを設置する場合のＣＣＴＶカメラ及び取り付け部品の分解図である。
【図３】本発明の一実施例である上方よりＣＣＴＶカメラを設置する場合のＣＣＴＶカメラ及び取り付けアームを示した斜視図である。
【図４】本発明の一実施例である下方よりＣＣＴＶカメラを設置する場合のＣＣＴＶカメラ及び取り付けアームを示した斜視図である。
【図５】本発明の一実施例である取り付けアーム及びＣＣＴＶカメラ設置用構造体の一部をカットした図である。
【符号の説明】
１：ＣＣＴＶカメラ本体
２：冷却ファン
３：アーム取り付け部
９：ＣＣＴＶカメラ上部排熱穴
１０：アーム取り付け部の絞り部
１２：排熱穴
【図１】
0003738191.tif 000002
【図２】
0003738191.tif 000003
【図３】
0003738191.tif 000004
【図４】
0003738191.tif 000005
【図５】
0003738191.tif 000006